(57)【要約】  コイル内に位置決めされたリングの数、およびリングが切断されることを必要とした剪断位置を特定する視覚システムを含んだ自動トリミングシステムが提供される。１つ以上のトリミング機構は、剪断位置を受信し、剪断位置においてリングの切断を実行する。フック手段は、コイルをトリミング領域へと搬送するために、コイルと連動する。さらに、複数のリングを備えたコイルを含んだ自動トリミングシステムが提供される。１つ以上のトリミング機構は、コイルから複数のリングを選択して、リングの一部を切断することにより所望の長さのサンプルを形成することを実行する。受け取りユニットは、１つ以上のトリミング機構からのサンプルを受け取り、サンプルの品質を評価する。
2021518265.tif 000002
【特許請求の範囲】
【請求項１】
自動トリミングシステムであって、
コイル内に位置決めされたリングの数、および前記リングが切断されることを必要とした剪断位置を特定する視覚システムと、
前記剪断位置を受信し、前記剪断位置において前記リングの切断を実行する１つ以上のトリミング機構と、
前記コイルをトリミング領域へと搬送するために、前記コイルと連動するフック手段であって、前記コイルが前記トリミング領域内に配置された場合、複数のスクリューロールまたは１つ以上の前記トリミング機構を用いて、前記コイルの端部を分離し、内部に配置されたリングを露出させるフック手段と、
を備えている、自動トリミングシステム。
【請求項２】
前記フック手段はコイル処理領域と連動して、前記コイルを前記トリミング領域へと搬送する、請求項１に記載の自動トリミングシステム。
【請求項３】
前記スクリューロールは、前記フック手段の側に配置されている、請求項１に記載の自動トリミングシステム。
【請求項４】
前記視覚システムは複数のカメラを備えている、請求項１に記載の自動トリミングシステム。
【請求項５】
前記カメラはレール上に配置され、前記コイルの離間された端部内に配置されたリングの試験を可能にしている、請求項４に記載の自動トリミングシステム。
【請求項６】
前記視覚システムは、露出された前記リングのプロファイルを生成する、請求項１に記載の自動トリミングシステム。
【請求項７】
前記視覚システムは、露出された前記コイルの適切な端縁を検出する、請求項１に記載の自動トリミングシステム。
【請求項８】
前記視覚システムは、露出された前記コイルのフィールドビューの深さを生成する、請求項１に記載の自動トリミングシステム。
【請求項９】
１つ以上の前記トリミング機構は、１つ以上のトリミングロボットを備えている、請求項１に記載の自動トリミングシステム。
【請求項１０】
１つ以上の前記トリミングロボットは、コントローラを介して、露出された前記リングを剪断するための命令を受信する、請求項９に記載の自動トリミングシステム。
【請求項１１】
１つ以上の前記トリミングロボットは、トリミングされるリングを拡張する、請求項９に記載の自動トリミングシステム。
【請求項１２】
１つ以上の前記トリミング機構は、ワイヤカッタおよびフックアセンブリを備えている、請求項１に記載の自動トリミングシステム。
【請求項１３】
前記フックアセンブリは、前記コイルを分離して前記リングを露出するために使用される、請求項１３に記載の自動トリミングシステム。
【請求項１４】
自動トリミングシステムの作業を実行する方法であって、
視覚システムを使用して、コイル内に配置されたリングの数、および前記リングが切断される必要がある剪断位置を特定するステップと、
前記剪断位置を受信して、前記剪断位置において前記リングの切断を実行する、１つ以上のトリミング機構を使用するステップと、
前記コイルをトリミング領域へと搬送するために、コイル処理領域と連動するフック手段を提供するステップと、
前記コイルの端部を分離させ、複数のスクリューロールまたは前記１つ以上のトリミング機構を使用して、内部に配置された複数の前記リングを露出するステップと、
を含んだ方法。
【請求項１５】
前記フック手段はコイル処理領域と連動して、前記コイルを前記トリミング領域へと搬送する、請求項１４に記載の方法。
【請求項１６】
前記スクリューロールは、前記フック手段の側に配置されている、請求項１６に記載の方法。
【請求項１７】
前記視覚システムは、複数のカメラを備えている、請求項１４に記載の方法。
【請求項１８】
前記カメラはレール上に配置され、前記コイルの分離された端部内に配置されたリングの試験を可能にしている、請求項１７に記載の方法。
【請求項１９】
前記視覚システムは、露出された前記リングのプロファイルを生成する、請求項１４に記載の方法。
【請求項２０】
前記視覚システムは、露出された前記コイルの適切な端縁を検出する、請求項１４に記載の方法。
【請求項２１】
前記視覚システムは、露出された前記コイルのフィールドビューの深さを生成する、請求項１４に記載の方法。
【請求項２２】
１つ以上の前記トリミング機構は、１つ以上のトリミングロボットを備えている、請求項１４に記載の方法。
【請求項２３】
１つ以上の前記トリミングロボットは、コントローラを介して、露出された前記リングを剪断するための命令を受信する、請求項２２に記載の方法。
【請求項２４】
１つ以上の前記トリミングロボットは、トリミングされるリングを拡張する、請求項２２に記載の方法。
【請求項２５】
１つ以上の前記トリミング機構は、ワイヤカッタおよびフックアセンブリを備えている、請求項１４に記載の方法。
【請求項２６】
前記フックアセンブリは、前記コイルを分離して前記リングを露出するために使用される、請求項２５に記載の方法。
【請求項２７】
自動トリミングシステムであって、
複数のリングを含んだコイルと、
該コイルから複数のリングを選択して、前記リングの一部を切断することにより所望の長さのサンプルを形成することを実行する、１つ以上のトリミング機構と、
１つ以上の前記トリミング機構からのサンプルを受け取り、該サンプルの品質を評価する受け取りユニットと、
を備えている自動トリミングシステム。
【請求項２８】
前記コイルは支持構造上に配置されている、請求項２７に記載の自動トリミングシステム。
【請求項２９】
１つ以上の前記トリミング機構により選択されたリングの数は、コントローラにより事前に決定されている、請求項２７に記載の自動トリミングシステム。
【請求項３０】
前記受け取りユニットは傾斜構造を備えている、請求項２７に記載の自動トリミングシステム。
【請求項３１】
前記傾斜構造は、チャネル構造またはスライド構造を備えている、請求項３０に記載の自動トリミングシステム。
【請求項３２】
自動トリミングシステムの作業を実行する方法であって、
複数のリングを含んだコイルを提供するステップと、
前記コイルから複数のリングを選択して、１つ以上のトリミング機構を使用して前記リングの一部を切断することにより、所望の長さのサンプルの形成を実行するステップと、
受け取りユニットを使用して、１つ以上の前記トリミング機構から前記サンプルを受け取り、該サンプルの品質を評価するステップと、
を含んでいる方法。
【請求項３３】
前記コイルは支持構造上に配置されている、請求項３２に記載の方法。
【請求項３４】
１つ以上の前記トリミング機構により選択されたリングの数は、コントローラにより事前に決定されている、請求項３２に記載の方法。
【請求項３５】
前記受け取りユニットは傾斜構造を備えている、請求項３２に記載の方法。
【請求項３６】
前記傾斜構造は、チャネル構造またはスライド構造を備えている、請求項３５に記載の方法。
【発明の詳細な説明】
【技術分野】
【０００１】
この出願は、２０１８年９月６日に出願された米国特許出願第１６／１２３，３４７号の一部継続出願であり、参照することにより全体が本願に統合された、２０１８年３月２０日に出願された米国仮出願第６２／６４５，４４６号の優先権を主張するものである。
【０００２】
本発明はワイヤロッドトリミングステーション、特に自動ワイヤロッドトリミングステーションの分野に関する。
【背景技術】
【０００３】
従来、インライン高速シェアは、圧延機内で圧延された各々のビレット「コイル」のヘッドおよびテールをトリミングするために使用され、高速シェアは、ワイヤロッドライン内のレイングヘッドの前に直接配置されており、その結果、１２０−１３０ｍ／ｓにおける搬送の間に５．５ｍｍのワイヤをトリミングすることが可能でなければならない。
【発明の概要】
【発明が解決しようとする課題】
【０００４】
このことは、高度な保守を必要とする複雑な制御システムを備えた複雑な機械へと帰結し、細部に注意してその機械を正確に且つ連続して操作することに帰結する。この機械の複雑な特性のために、機械が２つの主ガイド、２００−３００ｋＷの２つの主モータ、およびトリミングされる材料のサイズごとに変更が必要な複数の切り替えパイプを使用するので、高資本コストおよび高運転コストを有する。
【課題を解決するための手段】
【０００５】
本発明の一態様によれば、自動トリミングシステムを提供している。自動トリミングシステムは、複数のリングを含んだコイルを含んでいる。１つ以上のトリミング機構は、コイルから複数のリングを選択して、リングの一部を切断することにより所望の長さのサンプルを形成することを実行する。受け取りユニットは、１つ以上のトリミング機構からのサンプルを受け取り、このサンプルの品質を評価する。
【０００６】
本発明の別の態様によれば、自動トリミングシステムの作業を実行する方法を提供している。この方法は、複数のリングを含んだコイルを提供するステップを含んでいる。方法はまた、コイルから複数のリングを選択して、１つ以上のトリミング機構を使用してリングの一部を切断することにより、所望の長さのサンプルの形成を実行するステップを含んでいる。方法はさらに、受け取りユニットを使用して、１つ以上のトリミング機構からサンプルを受け取り、このサンプルの品質を評価するステップを含んでいる。
【０００７】
本発明の別の態様によれば、自動トリミングシステムを提供している。自動トリミングシステムは、コイル内に位置決めされたリングの数、およびリングが切断されることを必要とした剪断位置を特定する視覚システムを含んでいる。１つ以上のトリミング機構は剪断位置を受信し、剪断位置においてリングの切断を実行する。フック手段は、コイルをトリミング領域へと搬送するためにコイルと連動し、コイルがトリミング領域内に配置された場合、複数のスクリューロールまたは１つ以上のトリミング機構を用いて、コイルの端部を分離し、内部に配置されたリングを露出させる。
【０００８】
本発明の別の態様によれば、自動トリミングシステムの作業を実行する方法を提供している。この方法は、視覚システムを使用して、コイル内に配置されたリングの数、およびリングが切断される必要がある剪断位置を特定するステップを含んでいる。方法はまた、剪断位置を受信して、剪断位置においてリングの切断を実行する、１つ以上のトリミング機構を使用するステップを含んでいる。フック手段は、コイルをトリミング領域へと搬送するために、コイル処理領域と連動する。方法はさらに、コイル処理システムの端部を分離させ、複数のスクリューロールまたは１つ以上のトリミング機構を使用して、内部に配置された複数のリングを露出するステップを含んでいる。
【図面の簡単な説明】
【０００９】
【図１Ａ】コイル処理システムと組み合わせて使用される新規なトリミングステーションを概略的に示した図である。
【図１Ｂ】コイル処理システムと組み合わせて使用される新規なトリミングステーションを概略的に示した図である。
【図１Ｃ】コイル処理システムと組み合わせて使用される新規なトリミングステーションを概略的に示した図である。
【図２】本発明により使用される新規なフック手段の詳細を概略的に示した図である。
【図３Ａ】トリミングロボットの詳細を概略的に示した図である。
【図３Ｂ】トリミングロボットの詳細を概略的に示した図である。
【図３Ｃ】トリミングロボットの詳細を概略的に示した図である。
【図４Ａ】視覚システムの多様な操作を概略的に示した図である。
【図４Ｂ】視覚システムの多様な操作を概略的に示した図である。
【図４Ｃ】視覚システムの多様な操作を概略的に示した図である。
【図５Ａ】コイル処理システムと組み合わせて使用されるトリミングステーションの別の実施形態を概略的に示した図である。
【図５Ｂ】コイル処理システムと組み合わせて使用されるトリミングステーションの別の実施形態を概略的に示した図である。
【図５Ｃ】コイル処理システムと組み合わせて使用されるトリミングステーションの別の実施形態を概略的に示した図である。
【図６Ａ】コイルのサンプルが品質を試験するために使用される、本発明の別の実施形態を概略的に示した図である。
【図６Ｂ】コイルのサンプルが品質を試験するために使用される、本発明の別の実施形態を概略的に示した図である。
【発明を実施するための形態】
【００１０】
本発明は、コイル処理領域内に含まれた自立トリミングステーションを含み、この領域において、コイルはすでに成形および集結されており、結束のためにコンパクタへとパレットまたはフックで輸送されている。コンパクタの前に、新しいステーションが含まれ、各コイルのヘッドおよびテールが作業者の介入なしに自動的にトリミングされることを可能にしている。トリミングステーションは、固有のフック手段を備えた側方搬送機を含み、コイルの端部が拡張されて、所望の数のヘッドエンドリングおよびテールエンドリングのトリミングを可能にしており、リングの切断またはトリミングは、視覚システムインターフェイスを通じて制御された自立トリミングロボットにより実行される。視覚システムの目的は、正確な数のリングが各コイルからトリミングされることを確実にすることである。
【００１１】
高速シェアの性能は圧延速度に依存しており、その一方で、本発明はそのような制限を受けない。例えば、圧延速度が１２０ｍ／ｓの場合、高速シェアの切断時間は０．０５秒よりも短く、その一方で、本発明の切断時間は約４５秒である。コイル処理領域におけるトリミングの概念により、コイルは静止している間にトリミングされることが可能であり、圧延機の生産速度に依存するが、単一のコイルは約４５秒の最小時間から静止したままとされ得る。本発明は、コイル処理システムの初期部分が垂直パレットシステムである場合、標準製品であるコイルダウンエンダを通じてコイル処理システム内において作動する。
【００１２】
次に、カスタムデザインされたフック手段は、ダウンエンドされたコイルと連動して、コイルを取り外し、コイルをトリミングステーションへと搬送する。フックは、コイルのヘッドエンドおよびテールエンドを所定の量だけ拡張させる、２つのリング分離デバイスを組み込んでいる。この拡張は、トリミングロボットによっても実行され得る。次いで、このコイルの拡張は、視覚システムが、コイルから分離されるリングの数を計算し、トリミングロボットのアームに切断されるリング／複数のリングを剪断位置に配置させるように指示する。リングは油圧シェアを使用して切断され、次いでトリミングロボットのアームは、コイルを転倒させるダウンエンダに、フックがコイルを戻す前に、廃棄リングをフックから除去し、これによりコイルは処理のためにコンパクタに搬送され得る。コイルがフック手段上にある場合、処理は似ているが、コイルのダウンエンドは必要なく、コイルはフックからフックへと搬送される。
【００１３】
図１Ａから図１Ｃは、本発明にしたがって使用される新規なトリミングステーション２を示した概略的な図である。コイル１２は、中央パレットダウンエンダ１６の一部であるマンドレル１４上に配置されている。トリミングステーション２は、フック手段８および複数のトリミングロボット１０を含んでいる。図１Ａに示されたように、コイル１２は、処理された後にダウンエンダ１６に持ち込まれる。マンドレル１４を取り囲んだ領域は、測定のための複数のレーザを含み、コイルの正確な中心合わせを確実にしている。フック手段８は、マンドレル１４と連動するように提供され、図１Ｂに示されたようなコイルを、図１Ｃに示されたようなトリミングステーション２へと搬送する。フック手段８は、コイルの端部を拡張して、トリミングステーション２で一度、必要な数のヘッドエンドリングおよびテールエンドリングをトリミングできることを可能にしている。
【００１４】
視覚システムの一部として使用されて、コイルの形状および端縁を検出する複数のカメラ６が設けられている。トリミングステーション２において、カメラはレール１８上に装着されて、コイル１２を横断する動作を容易にすることを可能にしている。トリミングロボット１０は、コイル１２の端部の拡張を補助し、その内部にあるリングを露出させる。視覚システムは、カメラ６を使用してこれらのリングを分析し、リングの数およびそれらの個々の位置を正確に特定する。視覚システムにより検出された情報を使用して、トリミングロボット１０は、各コイルからトリミングされるリングの数を正確に特定する。トリミングロボットは、トリミングのために特別に設計された選択的なシェアを備えている。
【００１５】
図２は、フック手段２６の詳細を図示した概略的な図である。フック手段２６は、その各側部に取り付けられた複数のスクリューロール２８を備えている。フック手段２６がコイルをトリミングステーションに搬送した場合、スクリューロール２８は、コイルの端部を所定の距離だけ引っ張り、トリミングロボットの１つを通じてリング分離部を生成するために使用される。フック手段の各側のサーボドライブ３０は、自動的にコイルの端部を引っ張るために使用される。視覚システムは、リング分離部においてリングの数を計算し、シェア位置において切断される単一の／複数のリングを位置決めするようにロボットアームに指示する。はめ込み３２は、本発明により使用されるスクリューロールの詳細を示している。視覚システムおよびトリミングロボットは、無線または有線制御システムを通じて互いに通信し、特定およびトリミング作業を調整する。
【００１６】
それとは異なり、コイルリングの拡張は、多目的な使用が可能であるように設計された特別なトリミング工具を使用して、ロボット自身により実行されてもよく、その工具は拡張工具、後述の切断工具およびクランプ工具を統合しており、切断されたリングを廃棄位置へと運搬する。
【００１７】
図３Ａは、本発明により使用されるトリミングロボット４２の詳細を図示した概略的な図である。トリミングロボット４２は、安定化システム４６を通じて静止面に連結されたアーム手段４４を含んでいる。アーム手段４４は、回転シャフト４８に連結されている。回転シャフト４８は、ランスおよびシェア機構５０に連結されている。図３Ｂは、ランスおよびシェア機構５０の詳細を示している。ランスおよびシェア機構５０は、コイルを拡張または分離するために使用されるランス５２と、コイルをトリミングするために使用される切断機構５４と、を含んでいる。把持部６０も含まれている。ランス５２ならびに切断および把持機構５４は、両方が回転可能シャフト５６上に配置され、ランス５２、切断機構５４、および把持部６０が、作業時に回転することを可能にしている。回転可能シャフト５６はアンカ機構５８上に配置され、アンカ機構は、ランス５２、切断機構５４、および把持部６０が作業時に側方に移動することを可能にしている。
【００１８】
トリミングロボット４２は、６自由度以内の柔軟な動作を可能とした６軸ユニットである。先に論じられたように、トリミングロボット４２は、視覚システムの１つ以上のカメラ６により収集された情報を使用して作動し、多様なシェア位置においてリングを切断するための適切な位置を決定する。
【００１９】
図４Ａから図４Ｃは、視覚システムの多様な作業を図示した概略的な図である。図４Ａは、リング分離部の間に配置された多様なコイル端部のプロファイル６８を示している。各リングの位置は、その配置により割り付けられ、コントローラに送信される。コントローラはこの情報を使用して、剪断のためにトリミングロボットの正確な位置決めを制御する。図４Ｂは、リングの適切な端縁を検出するために、視覚システムにより展開された端縁／対象検出器７０を示している。この情報は、処理のためのコントローラに提供される。図４Ｃは、試験されたリングのフィールド７２の深さを示しており、視覚システムは、この情報をコントローラに提供する。視覚システムにより前述の多様な情報を受信した後に、コントローラは情報を評価し、評価されたリングのどれを剪断して廃棄するかについて、トリミングロボットにそれぞれのコマンドを送信する。
【００２０】
図５Ａから図５Ｃは、本発明の別の実施形態を図示した概略図である。この実施形態８０は、フック手段９０およびコイル９４の上に配置されたレール８６上に配置された一対のトリミングシステム８２、８４を使用しており、図５Ａに示されたように、レールは、トリミングシステムの容易な移動を可能にしている。フック手段９０は、前述のフック手段８と類似した機能を発揮する。特に、フックシステム９０は、さらなる処理のためにコイル９４をトリミングステーションに載置する。各トリミングシステム８２、８４は、ワイヤカッタ８８およびフックアセンブリ９０を含んでいる。さらに、図５Ｂに示されたように、トリミングシステム８２のフックアセンブリ９０はコイル９４の端縁に引っ掛けられ、これによりフック手段９０のラッチ９２の上にリング９６を分離する。同じことが他のトリミングシステム８４に関して生じ、両方のトリミングシステム８２、８４は、コイル９４の両端のリング９６を同時にまたは別々にラッチ９２上に分離する。
【００２１】
リング９６をラッチ９２上に載置した後に、図５Ｃに示されたように、トリミングシステム８２、８４は、選択的な位置においてワイヤカッタ８８を使用してコイル９４の両端でそれぞれのリング９６をトリミングまたは切断する。これらの特定された位置の決定は、ここに記載された視覚システムによりトリミングシステム８２、８４に提供される。コントローラは、トリミングシステム８２、８４と、リング９６の切断またはトリミングのための視覚システムと、の間の連動に使用されている。
【００２２】
図６Ａおよび図６Ｂは、コイルのサンプルが品質試験のために集められた、本発明の別の実施形態を示している。図６Ａは、フック１１０上に配置されたコイル１０２から事前に決定された数のリング１０６を選択するトリミングロボット１００を示している。エンドエフェクタの一部である把持ローラアセンブリは、切断されるサンプルの長さの変化を可能にしている。図６Ｂは、コイルからサンプル１０４をトリミングするトリミングロボット１００、およびサンプル１０４を受け取る受け取りユニット１０８を示している。トリミングロボット１００に接続されたコントローラは、サンプル１０４を形成するリング１０６のセクションをトリミングするためのトリミング位置を提供する。また、サンプル１０４は、その金属的特性または機械的特性を後に解析され、所定の品質に合致しているかどうかを決定する。サンプル１０４の試験は、受け取りユニット１０８の他端において実施可能であり、またはユーザは、受け取りユニットから手動でサンプルを取り上げ、必要な試験を実施するか、もしくはユーザは、サンプルの取り上げおよび試験のための自動化されたシステムを使用することが可能である。受け取りユニット１０８は、チャネル、またはスライド構造、もしくはそれに類似したもののような傾斜構造を含むことが可能である。また、本発明は、１つ以上のトリミングロボット１００が、試験のためにコイル状システムの異なった位置においてサンプルを選択することが可能である。
【００２３】
本発明は、いくつかの好適なその実施形態に関して図示されおよび記載されたが、その型式および詳細への多様な変形、省略、および追加が、本発明の思想および範囲から逸脱することなく実施され得る。
【符号の説明】
【００２４】
２  ・・・トリミングステーション
６  ・・・カメラ
８、２６、９０  ・・・フック手段
１０、４２、１００  ・・・トリミングロボット
１２、９４、１０２  ・・・コイル
１４  ・・・マンドレル
１６  ・・・中央パレットダウンエンダ
１８  ・・・レール
２８  ・・・スクリューロール
３０  ・・・サーボドライブ
４４  ・・・アーム手段
４６  ・・・安定化システム
４８  ・・・回転シャフト
５０  ・・・ランスおよびシェア機構
５２  ・・・ランス
５４  ・・・切断機構
５６  ・・・回転可能シャフト
５８  ・・・アンカ機構
６０  ・・・把持部
７０  ・・・端縁／対象検出器
８２、８４  ・・・トリミングシステム
８６  ・・・レール
８８  ・・・ワイヤカッタ
９２  ・・・ラッチ
９６、１０６  ・・・リング
１０４  ・・・サンプル
１０８  ・・・受け取りユニット
１１０  ・・・フック
【図１Ａ】
2021518265.tif 000003
【図１Ｂ】
2021518265.tif 000004
【図１Ｃ】
2021518265.tif 000005
【図２】
2021518265.tif 000006
【図３Ａ】
2021518265.tif 000007
【図３Ｂ】
2021518265.tif 000008
【図４Ａ】
2021518265.tif 000009
【図４Ｂ】
2021518265.tif 000010
【図４Ｃ】
2021518265.tif 000011
【図５Ａ】
2021518265.tif 000012
【図５Ｂ】
2021518265.tif 000013
【図５Ｃ】
2021518265.tif 000014
【図６Ａ】
2021518265.tif 000015
【図６Ｂ】
2021518265.tif 000016
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
自動トリミングシステムであって、
コイル内に位置決めされたリングの数、および前記リングが切断されることを必要とした剪断位置を特定する視覚システムと、
前記剪断位置を受信し、前記剪断位置において前記リングの切断を実行する１つ以上のトリミング機構と、
前記コイルをトリミング領域へと搬送するために、前記コイルと連動するフック手段であって、前記コイルが前記トリミング領域内に配置された場合、複数のスクリューロールまたは１つ以上の前記トリミング機構を用いて、前記コイルの端部を分離し、内部に配置されたリングを露出させるフック手段と、
を備えている、自動トリミングシステム。
【請求項２】
前記フック手段はコイル処理領域と連動して、前記コイルを前記トリミング領域へと搬送する、請求項１に記載の自動トリミングシステム。
【請求項３】
前記スクリューロールは、前記フック手段の側に配置されている、請求項１に記載の自動トリミングシステム。
【請求項４】
前記視覚システムは複数のカメラを備えている、請求項１に記載の自動トリミングシステム。
【請求項５】
前記カメラはレール上に配置され、前記コイルの離間された端部内に配置されたリングの試験を可能にしている、請求項４に記載の自動トリミングシステム。
【請求項６】
前記視覚システムは、露出された前記リングのプロファイルを生成する、請求項１に記載の自動トリミングシステム。
【請求項７】
前記視覚システムは、露出された前記コイルの適切な端縁を検出する、請求項１に記載の自動トリミングシステム。
【請求項８】
前記視覚システムは、露出された前記コイルのフィールドビューの深さを生成する、請求項１に記載の自動トリミングシステム。
【請求項９】
１つ以上の前記トリミング機構は、１つ以上のトリミングロボットを備えている、請求項１に記載の自動トリミングシステム。
【請求項１０】
１つ以上の前記トリミングロボットは、コントローラを介して、露出された前記リングを剪断するための命令を受信する、請求項９に記載の自動トリミングシステム。
【請求項１１】
１つ以上の前記トリミングロボットは、トリミングされるリングを拡張する、請求項９に記載の自動トリミングシステム。
【請求項１２】
１つ以上の前記トリミング機構は、ワイヤカッタおよびフックアセンブリを備えている、請求項１に記載の自動トリミングシステム。
【請求項１３】
前記フックアセンブリは、前記コイルを分離して前記リングを露出するために使用される、請求項１２に記載の自動トリミングシステム。
【請求項１４】
請求項１から１３のいずれか一項に記載の自動トリミングシステムであって、
複数のリングを含んだ前記コイルと、
該コイルから複数のリングを選択して、前記リングの一部を切断することにより所望の長さのサンプルを形成することを実行する、１つ以上の前記トリミング機構と、
１つ以上の前記トリミング機構からのサンプルを受け取り、該サンプルの品質を評価する受け取りユニットと、
を備えている自動トリミングシステム。
【請求項１５】
前記コイルは支持構造上に配置されている、請求項１４に記載の自動トリミングシステム。
【請求項１６】
１つ以上の前記トリミング機構により選択されたリングの数は、コントローラにより事前に決定されている、請求項１４または１５に記載の自動トリミングシステム。
【請求項１７】
前記受け取りユニットは傾斜構造を備えている、請求項１４から１６のいずれか一項に記載の自動トリミングシステム。
【請求項１８】
前記傾斜構造は、チャネル構造またはスライド構造を備えている、請求項１７に記載の自動トリミングシステム。
【手続補正２】
【補正対象書類名】明細書
【補正対象項目名】０００１
【補正方法】変更
【補正の内容】
【０００１】
本願は、２０１８年９月６日に出願された米国特許出願第１６／１２３，３４７号の一部継続出願である米国特許出願第１６／３５３，１６３号に基づいており、参照することにより全体が本願に統合された、２０１８年３月２０日に出願された米国仮出願第６２／６４５，４４６号の優先権を主張するものである。本願は、米国特許出願第１６／１２３，３４７号および米国特許出願第６２／６４５，４４６号からの２つの優先権を主張した米国特許出願第１６／３５３，１６３号の優先権を同様に主張するものである。
【国際調査報告】
2021518265.tif 000017
2021518265.tif 000018